(57)【要約】【課題】  リベット等の材料費がかかる固着具を用いることなく把持部材と支持部材とを簡単に接続することができ、かも支持部材から把持部材がはずれることを防止できる。【解決手段】  支持部材２のコ字状部２１の両側片２１ａ、２１ｃの夫々をコ字状部２１の中央片２１ｂが把持部材１の支持部材側取付け部１０の雨樋側に位置するように把持部材１の各スリット部１１ａ、１１ｂに挿入する。把持部材１で雨樋を把持する。支持部材２の建物側取付け部１０を建物に取付ける。把持部材２に把持した雨樋と把持部材１の支持部材側取付け部１０とで支持部材２のコ字状部２１の中央片２１ｂを挟持する。【選択図】        図１
2005048450.tif 000002
【特許請求の範囲】
【請求項１】
雨樋を把持する把持部材の一部に支持部材側取付け部を形成し、該把持部材を建物に取付けるための支持部材の一端部に建物に取付けられる建物側取付け部を形成すると共に他端部に前記把持部材の支持部材側取付け部に取付けられる略コ字状のコ字状部を形成し、前記把持部材の支持部材側取付け部に把持部材の内側及び外側に開口するスリット部を２つ並設し、前記支持部材のコ字状部の両側片の夫々をコ字状部の中央片が把持部材の支持部材側取付け部の雨樋側に位置するように把持部材の各スリット部に挿入し、把持部材で雨樋を把持すると共に支持部材の建物側取付け部を建物に取付け、把持部材に把持した雨樋と把持部材の支持部材側取付け部とで支持部材のコ字状部の中央片を挟持してなることを特徴とする雨樋の取付け構造。
【請求項２】
上記支持部材のコ字状部の両側片のうち、少なくともどちらか一方の片に係合孔部を形成し、該係合孔部が形成されたコ字状部の片が挿入されるスリット部の内壁面に抜け防止爪部を設け、該把持部材の抜け防止爪部を前記支持部材の係合孔部に係合してなることを特徴とする請求項１記載の雨樋の取付け構造。
【請求項３】
上記支持部材を、本体部と、本体部の一端部を延設してなる略Ｌ字状のＬ字状部と、本体部の他端部を延設してなる上記コ字状部とで構成し、該支持部材のＬ字状部の先側の片を建物側取付け部とし、コ字状部の両側片のうち基側の片を基側片とすると共に両スリット部のうち前記コ字状部の基側片が挿入されるスリット部を基側片用スリット部とし、基側片用スリット部の内壁面を一開口側端部又は両開口側端部の溝幅が最も大きくなるように且つ前記一開口側端部又は両開口側端部から最も離れた部分の溝幅が最も小さくなるように傾斜させ、該基側片用スリット部の内壁面の一開口側端部又は両開口側端部から最も離れた部分を支持部材の基側片に当接してなることを特徴とする請求項１又は請求項２記載の雨樋の取付け構造。
【発明の詳細な説明】
【技術分野】
【０００１】
本発明は建物に取付けられる雨樋の取付け構造に関する。
【背景技術】
【０００２】
従来から雨樋の取付け構造としては例えば図６に示すように、縦樋を把持する把持部材と、縦樋を建物の壁３に取り付けるための支持部材２とを有し、支持部材２の一端部に設けた建物側取付け部２０を固着具などで建物の壁３に取付け、支持部材２の他端部に設けた把持部材側取付け部１０を把持部材１の支持部材側取付け部１０にリベット４により取付けたものがある。
【０００３】
しかし上記図６に示す取付け構造ではリベット４により支持部材２に把持部材１を取付けてあるため、リベット４の材料費によってコストが高くなり、またリベット４をかしめる等の面倒な取付け作業が必要であり簡単に支持部材２に把持部材１を取付けることができず、この点でもコストが高くなってしまう。
【０００４】
また上記図６の従来例の他に、縦樋の端部同士を接続する縦樋継手に一対の係合突起部を形成し、該縦樋継手を壁面に取付けるための控金具に一対の係合孔を形成し、該係合孔に前記係合突起部を係合して控金具と縦樋継手とを接続したものがある（例えば、特許文献１参照）。
【０００５】
しかしながら上記特許文献１に示される従来例は、縦樋継手を建物に取付けるための技術であって雨樋を把持する把持部材を建物に取付ける技術ではなく、さらにはこの従来の縦樋継手の取付け構造を見ても、前述したように縦樋継手と控金具は前記係合孔と係合突起部との係合により取付けているだけであるため縦樋継手が控金具に強固に取付けられておらず、このため係合孔と係合突起部との係合が解除されて縦樋継手が控金具から外れてしまうことが多々あった。
【特許文献１】特開２０００−２７４０２７号公報
【発明の開示】
【発明が解決しようとする課題】
【０００６】
本発明は上記従来の問題点に鑑みて発明したものであって、リベット等の材料費がかかる固着具を用いることなく把持部材と支持部材とを簡単に接続することができ、且つコストを削減でき、しかも支持部材から把持部材がはずれることを防止できて支持部材に把持部材を強固に取付けることができる縦樋の取付け構造を提供することを課題とするものである。
【課題を解決するための手段】
【０００７】
上記課題を解決するために本発明に係る雨樋５の取付け構造は、雨樋５を把持する把持部材１の一部に支持部材側取付け部１０を形成し、該把持部材１を建物に取付けるための支持部材２の一端部に建物に取付けられる建物側取付け部２０を形成すると共に他端部に前記把持部材１の支持部材側取付け部１０に取付けられる略コ字状のコ字状部２１を形成し、前記把持部材１の支持部材側取付け部１０に把持部材１の内側及び外側に開口するスリット部１１を２つ並設し、前記支持部材２のコ字状部２１の両側片２１ａ、２１ｃの夫々をコ字状部２１の中央片２１ｂが把持部材１の支持部材側取付け部１０の雨樋５側に位置するように把持部材１の各スリット部１１ａ、１１ｂに挿入し、把持部材１で雨樋５を把持すると共に支持部材２の建物側取付け部１０を建物に取付け、把持部材２に把持した雨樋５と把持部材１の支持部材側取付け部１０とで支持部材２のコ字状部２１の中央片２１ｂを挟持してなることを特徴とするものである。
【０００８】
このように前記支持部材２のコ字状部２１の両側片２１ａ、２１ｃの夫々をコ字状部２１の中央片２１ｂが把持部材１の支持部材側取付け部１０の雨樋５側に位置するように把持部材１の各スリット部１１ａ、１１ｂに挿入し、把持部材１に把持した雨樋５と把持部材１の支持部材側取付け部１０とで支持部材２のコ字状部２１の中央片２１ｂを挟持することで、リベット等の材料費がかかる固着具を用いることなく支持部材２に把持部材１を簡単に取付けることができてコストを削減できる。しかもこの場合、把持部材１に把持された雨樋５と把持部材１の支持部材側取付け部１０とで支持部材２のコ字状部２１の中央片２１ｂを挟持してあるので、把持部材１に雨樋５を把持した状態においては、該把持部材１に把持された雨樋５が支持部材２のコ字状部２１が雨樋５側へ抜けるのを防止するストッパの役割を果たし、これにより支持部材２から把持部材１がはずれなくなって把持部材１を支持部材２に強固に取付けることができる。
【０００９】
また請求項２は請求項１において、上記支持部材２のコ字状部２１の両側片２１ａ、２１ｃのうち、少なくともどちらか一方の片に係合孔部２２を形成し、該係合孔部２２が形成されたコ字状部２１の片が挿入されるスリット部１１の内壁面に抜け防止爪部１２を設け、該把持部材１の抜け防止爪部１２を前記支持部材２の係合孔部２２に係合してなることを特徴とするものである。
【００１０】
このように把持部材１の抜け防止爪部１２を支持部材２の係合孔部２２に係合することで、施工の際、把持部材１にて雨樋５を把持する前において、支持部材２のコ字状部２１の両側片２１ａ、２１ｃを各スリット部１１、１１から抜けることを防止した状態で各スリット部に位置決めして取付けることができ、これにより以後の施工作業が容易になり、しかも把持部材１にて雨樋５を把持した後の取付け構造においては、前記抜け防止爪部１２と係合孔部２２との係合により支持部材２に対して把持部材１ががたつき難くなる。
【００１１】
また請求項３は請求項１又は請求項２において、上記支持部材２を、本体部２３と、本体部２３の一端部を延設してなる略Ｌ字状のＬ字状部２４と、本体部２３の他端部を延設してなる上記コ字状部２１とで構成し、該支持部材２のＬ字状部２４の先側の片を建物側取付け部２０とし、コ字状部２１の両側片２１ａ、２１ｃのうち基側の片を基側片２１ａとすると共に両スリット部１１ａ、１１ｂのうち前記コ字状部２１の基側片２１ａが挿入されるスリット部を基側片用スリット部１１ａとし、基側片用スリット部１１ａの内壁面を一開口側端部又は両開口側端部の溝幅が最も大きくなるように且つ前記一開口側端部又は両開口側端部から最も離れた部分の溝幅が最も小さくなるように傾斜させ、該基側片用スリット部１１ａの内壁面の一開口側端部又は両開口側端部から最も離れた部分を支持部材２の基側片２１ａに当接してなることを特徴とするものである。
【００１２】
上記構成を有する支持部材２への把持部材１の取付けは、支持部材２の建物側取付け部２０を把持部材１の基側片用スリット部１１ａに雨樋５側の開口から挿入し、この後基側片用スリット部１１ａ内に支持部材２のＬ字状部２４の角部を押し込みながら、支持部材２をＬ字状部２４の角部を中心に回動させ、次いで支持部材２の本体部を基側片用スリット部１１ａに通し、この後支持部材２のコ字状部２１の両側片２１ａ、２１ｃの夫々をコ字状部２１の中央片２１ｂが把持部材１の支持部材側取付け部１０の雨樋５側に位置するように把持部材１の各スリット部１１ａ、１１ｃに挿入することによって行われる。この場合、上記のように基側片用スリット部１１ａの内壁面を一開口側端部又は両開口側端部の溝幅が最も大きくなるように且つ前記一開口側端部又は両開口側端部から最も離れた部分の溝幅が最も小さくなるように傾斜させることで、前述した基側片用スリット部１１ａ内に支持部材２のＬ字状部２４の角部を押し込みながら支持部材２をＬ字状部２４の角部を中心に回動させる作業を容易に行えるようになる。
【発明の効果】
【００１３】
本発明では、リベット等の材料費がかかる固着具を用いることなく把持部材と支持部材とを簡単に接続することができて、コストを削減でき、しかも把持部材に雨樋を把持した状態においては、支持部材から把持部材がはずれなくなって把持部材を支持部材に強固に取付けることができる。
【発明を実施するための最良の形態】
【００１４】
以下本発明を添付図面に示す実施形態に基いて説明する。図１には本実施形態の雨樋の取付け構造を示している。本実施形態では建物に取付けられる雨樋として縦樋５を用いており、図１中１は縦樋５を外側から把持する把持部材、２は把持部材１を建物の壁３に取付けるための支持部材である。
【００１５】
支持部材２は金属板を折り曲げ形成してなり、図２に示すようにその一端部に建物の壁３に取付けられる建物側取付け部２０を形成してあり、またその他端部に後述する把持部材１の一部に形成した支持部材側取付け部１０に取付けられる略コ字状のコ字状部２１を形成している。詳述すると、支持部材２は、平板状の本体部２３と、本体部２３の一端部を延設してなる略Ｌ字状のＬ字状部２４と、本体部２３の他端部を延設してなる上記コ字状部２１とで構成されている。本実施形態では前記支持部材２のコ字状部２１の中央片２１ｂと反対側に突出するＬ字状部２４の先側の片を建物側取付け部２０としてあり、該建物側取付け部２０にはねじや釘等の固着具（図示せず）を挿通するための固着具挿通孔２５を設けている。ここでコ字状部２１の両側片２１ａ、２１ｃのうち先側の片を先側片２１ｃと称し、基側の片を基側片２１ａと称す。この支持部材２の先側片２１ｃには後述する抜け防止爪部１２が係合する係合孔部２２を穿孔している。
【００１６】
把持部材１は図１に示すように合成樹脂製であって略筒状に形成されており、その内周面は該把持部材１にて把持される角型の縦樋５の外周面に沿う形状に形成されている。該筒状の把持部材１は、略半割り筒状の図３に示す把持部材本体１４と、該略半割り筒状の把持部材本体１４の一方の先端部に回動自在に取付けた略半割り筒状の回動体１５（図１参照）とで構成されている。略半割り筒状の把持部材本体１４の一方の先端部には略半割り筒状の回動体１５の一方の先端部が回動自在に枢支されている。また把持部材本体１４の他方の先端部には取着部１８を形成してあり、回動体１５の他方の先端部には前記把持部材本体１４の取付け部に着脱自在に取付けられる被取着部１６を形成している。即ち把持部材１は、把持部材本体１４に回動自在に取付けられた回動体１５を閉じ、且つ把持部材本体１４の取着部１８に回動体１５の被取着部１６を取付けることで、縦樋５を簡単に把持して装着できるようにしてあり、また回動体１５を開き、且つ把持部材本体１４の取着部１８から回動体１５の被取着部１６を取り外すことで、把持部材１から縦樋５を出し入れできるようにしている。
【００１７】
把持部材１の建物側の端部、即ち上記略半割り筒状の把持部材本体１４の中間部には支持部材２のコ字状部２１が取付けられる支持部材側取付け部１０を形成している。該支持部材側取付け部１０には把持部材１の周方向と同一方向に長いスリット部１１を２つ並設してあり、各スリット部１１は筒状の把持部材１の内側及び外側に開口している。ここで両スリット部１１、１１のうち、上側のスリット部１１、つまり前述した支持部材２の基側片２１ａが挿入されるスリット部１１を基側片用スリット部１１ａと称し、下側のスリット部１１、つまり前述した支持部材２の先側片２１ｃが挿入されるスリット部１１を先側片用スリット部１１ｂと称す。
【００１８】
基側片用スリット部１１ａの上側（先側片用スリット部１１ｂと反対側）の内壁面は基側片用スリット部１１ａの両開口側端部の溝幅が最も大きくなるように且つ前記両開口側端部から最も離れた部分（即ち基側片用スリット部１１ａの両開口部の中間部）の溝幅が最も小さくなるように傾斜している。
【００１９】
上記基側片用スリット部１１ａについて詳述すると、該基側片用スリット部１１ａは、上側の内壁面を形成する面部６と、下側（先側片用スリット部１１ｂ側）の内壁面を形成する面部７とを有している。
【００２０】
面部６は、最も縦樋５側に位置し且つ取付け状態における支持部材２の基側片２１ａ（本体部２３）と直交する開口縁面部６０と、該開口縁面部６０に連続し且つ開口縁面部１９の先側片用スリット部１１ｂ側端部から建物側に行く程基側片用スリット部１１ａ側に位置するように傾斜した円弧状の円弧状傾斜面部６１と、該円弧状傾斜面部６１の建物側に位置すると共に円弧状傾斜面部に連続し且つ取付け状態における支持部材２の基側片２１ａ（本体部２３）と平行な当接面部６２と、最も建物側に位置すると共に前記当接面部６２に連続し且つ建物側に行く程基側片用スリット部１１ａ側に位置するように傾斜したフラットな傾斜面部６３とからなる。また上記傾斜面部６３と円弧状傾斜面部６１の接線との挟角は角は９０°以下となるように設定されているものとする。
【００２１】
また面部７は、最も縦樋５側に位置する凸面部７０と、該凸面部７０の建物側の縁部に連続し且つ取付け状態における支持部材２の基側片２１ａ（本体部２３）と平行な底面部７１とからなり、底面部７１の上側（先側片用スリット部１１ｂと反対側）の面は底面部７１と平行な凸面部７０の先端面よりも下側（先側片用スリット部１１ｂ）に位置している。また該凸面部７０の先端面は、前述した当接面部６２及び基側片用スリット部１１ａの縦樋５側の開口部よりも縦樋５側に位置している。
【００２２】
他方、先側片用スリット部１１ｂの下側（基側片用スリット部１１ａと反対側）の内壁面には抜け防止爪部１２を設けている。該抜け防止爪部１２は建物側に行く程上側（基側片用スリット部１１ａ側）に位置するように傾斜してあり、該抜け防止爪部１２は先側片用スリット部１１ｂ内に収まっている。また先側片用スリット部１１ｂの上側（基側片用スリット部１１ａ側）の内壁面はフラットに形成されている。
【００２３】
上記把持部材１と支持部材２を用いて縦樋５を建物の壁３に取付ける場合は例えば以下のようにして行われる。まず支持部材２の建物側取付け部２０を把持部材１の基側片用スリット部１１ａに縦樋５側の開口から挿入する。そして支持部材２の本体部２３が前記基側片用スリット部１１ａの開口縁面部６０に当たった後に、基側片用スリット部１１ａ内に支持部材２のＬ字状部２４の角部を把持部材１の支持部材側取付け部１０を弾性変形させて押し込みながら、支持部材２をＬ字状部２４の角部を中心にコ字状部２１がスリット部１１に近づく方向に回動させる。次いで支持部材２の本体部を基側片用スリット部１１ａに通す。そして支持部材２のコ字状部２１の両側片２１ａ、２１ｃの夫々をコ字状部２１の中央片２１ｂが把持部材１の支持部材側取付け部１０の雨樋５側に位置するように把持部材１の各スリット部１１ａ、１１ｃに挿入する。ここで前述したように基側片用スリット部１１ａの内壁面は両開口側端部の溝幅が最も大きくなるように且つ前記両開口側端部から最も離れた部分の溝幅が最も小さくなるように傾斜しているため、前述した支持部材２の角部の押し込みながら支持部材２を回動させる作業を容易に行える。また特に本実施形態では前述したように該基側片用スリット部１１ａの底面部７１の上側の面は凸面部７０の先端面よりも下側に位置しているため、上記支持部材２の角部を押し込みながら支持部材２を回動させる作業をより一層容易に行える。
【００２４】
そしてこのように支持部材２のコ字状部２１に把持部材１の支持部材側取付け部１０を取付けた後、支持部材２の固着具挿通孔２５に挿通した固着具の先端部を建物の壁３に取付けることで支持部材２の建物側取付け部２０を建物の壁３に取付けると共に、前述したように把持部材１で縦樋５を把持する。
【００２５】
ここで上記支持部材２への把持部材１の取付け構造について詳述すると、支持部材２のコ字状部２１の両側片２１ａ、２１ｃを把持部材１の各スリット部１１ａ、１１ｂに挿入した際には、図５に示すように把持部材１に設けた抜け防止爪部１２はその先端部が支持部材２に設けた係合孔部２２に係合すると共に、支持部材２の先側片２１ｃは抜け防止爪部１２及び先側片用スリット部１１ｂの上側の内壁面に弾接状態で挟持されて基側片用スリット部１１ａに嵌合する。また同時に基側片用スリット部１１aの内壁面の両開口側端部から最も離れた部分である当接面部６２はコ字状部２１の基側片２１ａに面接し、基側片用スリット部１１ａの下側面部７の凸面部７０はコ字状部２１の基側片２１ａに面接触で接し、これにより支持部材２の基側片２１ａは当接面部６２及び凸面部７０に弾接状態で挟持されて基側片用スリット部１１ａに嵌合する。そして上記把持部材１にて縦樋５を把持することで、把持部材１に把持した縦樋５と把持部材１の支持部材側取付け部１０とで支持部材２のコ字状部２１の中央片２１ａが挟持される。
【００２６】
上記のように支持部材２に把持部材１を取付けることで、上記従来例に示したようにリベット等の材料費がかかる固着具を用いることなく把持部材１と支持部材２とを簡単に接続することができてコストを削減できる。また把持部材１の支持部材側取付け部１０は支持部材２のコ字状部２１に位置決めされた状態で取付けられることとなり、これにより支持部材２に対する把持部材１のがたつきを防止できる。さらにはこの場合、把持部材１に把持された雨樋５と把持部材１の支持部材側取付け部１０とで支持部材２のコ字状部２１の中央片２１ｂを挟持してあるので、把持部材１に雨樋５を把持した状態においては、該把持部材１に把持された雨樋５が支持部材２のコ字状部２１が雨樋５側へ抜けるのを防止するストッパの役割を果たすこととなり、これにって支持部材２から把持部材１がはずれなくなり把持部材１を支持部材２に強固に取付けることができる。
【００２７】
またこの場合、前述したように抜け防止爪部１２を係合孔部２２に係合しているので、施工の際の把持部材１にて雨樋５を把持する前において、支持部材２のコ字状部２１の両側片２１ａ、２１ｃを各スリット部１１、１１から抜けることを防止した状態で各スリット部に位置決めして取付けることができ、これにより前述した支持部材２の建物の壁３への取付け、把持部材１による縦樋５の把持、の際の施工作業が容易になり、しかも把持部材１にて雨樋５を把持した後の取付け構造においては、前記抜け防止爪部１２と係合孔部２２との係合により支持部材２に対して把持部材１ががたつき難くなる。また本実施形態では特にスリット部１１の内壁面に抜け防止爪部１２を設けてあるので、スリット部１１の外側に抜け防止爪部を設けたものと比して、抜け防止爪部１２と係合孔部２２との係合を解除し難くでき、これによってより確実に支持部材２に対する把持部材１のがたつきを防止でき、また把持部材１の搬送や収納の際等に抜け防止爪部１２が破損することを防止できる。
【００２８】
なお本実施形態では雨樋として縦樋５を用いたが、雨樋は呼び樋、這い樋、軒樋、等であっても良いものとする。また雨樋の形状としては上記角形に限定されず、丸型であっても良いものとする。また本実施形態では両スリット部１１ａ、１１ｂのうち一方のスリット部１１ｂの内壁面に抜け防止爪部１２を設け、支持部材２のコ字状部２１の両側片２１ａ、２１ｃのうち一方の側片２１ｃに係合孔部２２を形成したが、上記把持部材１の両スリット部１１ａ、１１ｂの夫々の内壁面に抜け防止爪部１２を設けると共に支持部材２のコ字状部２１の両側片２１ａ、２１ｃの夫々に係合孔部２２を形成し、把持部材１の各抜け防止爪部１２を対応する支持部材２の係合孔部２２に係合しても良いものとする。また本実施形態では基側片用スリット部１１ａの内壁面を両開口側端部の溝幅が最も大きくなるように且つ両開口側端部から最も離れた部分の溝幅が最も小さくなるように傾斜させ、基側片用スリット部１１ａの内壁面の両開口側端部から最も離れた部分をコ字状部２１の基側片２１ａに当接したが、基側片用スリット部１１ａの内壁面を、一方の開口側端部の溝幅が最も大きくなるように且つ前記一方の開口側端部から最も離れた部分の溝幅が最も小さくなるように形成し、基側片用スリット部１１ａの内壁面の前記一開口側端部から最も離れた部分をコ字状部２１の基側片２１ａに当接してあっても良いものとする。
【図面の簡単な説明】
【００２９】
【図１】本発明の実施の形態の一例をの縦樋の取り付け構造を示し、（ａ）は平面図、（ｂ）は側面図である。
【図２】同上の支持部材を示し、（ａ）は側面図、（ｂ）は底面図である。
【図３】同上の把持部材本体を示し、（ａ）は建物側から見た側面図、（ｂ）は平面図、（ｃ）は縦樋側から見た側面図である。
【図４】図３のＢ−Ｂ断面図である。
【図５】図１のＡ−Ａ断面図である。
【図６】従来の縦樋の取付け構造を示し、（ａ）は平面図、（ｂ）は側面図である。
【符号の説明】
【００３０】
１  把持部材
２  支持部材
１０  支持部材側取付け部
１１    スリット部
１１ａ  基側片用スリット部
１１ｂ  先側片用スリット部
１２    抜け防止爪部
２０    建物側取付け部
２１    コ字状部
２１ａ  基側片
２１ｂ  中央片
２１ｃ  先側片
２２    係合孔部
２３    本体部
２４    Ｌ字状部
【図１】
2005048450.tif 000003
【図２】
2005048450.tif 000004
【図３】
2005048450.tif 000005
【図４】
2005048450.tif 000006
【図５】
2005048450.tif 000007
【図６】
2005048450.tif 000008